(57)【特許請求の範囲】
【請求項１】
ユーザの端末装置と、サーバ装置とからなるセミナー運営システムであって、
前記端末装置は、
座席に係る二次元コード、及び名刺を撮像する撮像部と、
前記二次元コードを解析し座席情報を取得するコード解析部と、
前記座席情報とユーザ識別情報、及び前記名刺の画像データを前記サーバ装置に送信する送信部と、
を有し、
前記サーバ装置は、
前記座席情報と前記ユーザ識別情報、及び前記名刺の画像データを受け付ける受付部と、
前記名刺の画像データを解析し名刺情報を取得する解析部と、
前記座席情報と前記ユーザ識別情報、及び前記名刺情報を登録する登録部と、
前記座席情報、前記ユーザ識別情報、前記ユーザの属性情報、セミナー識別情報、及び前記名刺情報を少なくとも記憶する記憶部と、
を有し、
前記ユーザ識別情報に基づき、前記座席情報により特定される座席に着席しているユーザの属性情報を提示可能とした
セミナー運営システム。
【請求項２】
前記サーバ装置は、前記記憶部に記憶されている、前記座席情報及び前記ユーザ識別情報に基づいて、座席表を生成する座席表生成部を更に有する
請求項１に記載のセミナー運営システム。
【請求項３】
セミナー講師の端末装置を更に備え、
前記サーバ装置は、前記ユーザの端末装置からの質問情報を受信し、前記セミナー講師の端末装置に回答を要求し、前記セミナー講師の端末からの、前記質問情報に係る質問に対する回答情報を受信すると、前記記憶部に、前記セミナー識別情報及び前記ユーザ識別情報と関連付けて前記質問情報及び前記回答情報を記憶する質疑応答処理部を更に有する
請求項１又は請求項２に記載のセミナー運営システム。
【請求項４】
前記サーバ装置は、前記ユーザの端末装置にアンケート情報を送信し、前記ユーザの端末装置からのアンケート回答情報を受信し、前記セミナー識別情報及び前記ユーザ識別情報と関連付けて、前記記憶部に記憶するアンケート処理部を更に有する
請求項１乃至請求項３のいずれか１項に記載のセミナー運営システム。
【請求項５】
カメラユニットを更に備え、
前記サーバ装置は、前記カメラユニットにより撮影されたセミナー受講中のユーザの顔画像を解析し、解析結果を撮影時刻と共に、前記記憶部に記憶する解析部を更に有する
請求項１乃至請求項４のいずれか１項に記載のセミナー運営システム。
【請求項６】
ユーザの端末装置と、サーバ装置とからなるセミナー運営システムによるセミナー運営方法であって、
前記端末装置では、
撮像部が座席に係る二次元コード、及び名刺を撮像し、
コード解析部が前記二次元コードを解析し座席情報を取得し、
送信部が前記座席情報とユーザ識別情報、及び前記名刺の画像データを前記サーバ装置に送信し、
前記サーバ装置では、
受付部が前記座席情報と前記ユーザ識別情報、及び前記名刺の画像データを受け付け、
解析部が前記名刺の画像データを解析し名刺情報を取得し、
登録部が前記座席情報と前記ユーザ識別情報、及び前記名刺情報を登録し、
記憶部が前記座席情報、前記ユーザ識別情報、前記ユーザの属性情報、セミナー識別情報、及び前記名刺情報を少なくとも記憶し、
前記ユーザ識別情報に基づき、前記座席情報により特定される座席に着席しているユーザの属性情報を提示可能とした
セミナー運営方法。
【請求項７】
前記サーバ装置では、座席生成部が、前記記憶部に記憶されている、前記座席情報及び前記ユーザ識別情報に基づいて、座席表を生成する
請求項６に記載のセミナー運営方法。
【請求項８】
前記セミナー運営システムは、セミナー講師の端末装置を更に備え、
前記サーバ装置では、質疑応答処理部が、前記ユーザの端末装置からの質問情報を受信し、前記セミナー講師の端末装置に回答を要求し、前記セミナー講師の端末からの、前記質問情報に係る質問に対する回答情報を受信すると、前記記憶部に、前記セミナー識別情報及び前記ユーザ識別情報と関連付けて前記質問情報及び前記回答情報を記憶する
請求項６又は請求項７に記載のセミナー運営方法。
【請求項９】
前記サーバ装置では、アンケート処理部が、前記ユーザの端末装置にアンケート情報を送信し、前記ユーザの端末装置からのアンケート回答情報を受信し、前記セミナー識別情報及び前記ユーザ識別情報と関連付けて、前記記憶部に記憶する
請求項６乃至請求項８のいずれか１項に記載のセミナー運営方法。
【請求項１０】
前記セミナー運営システムは、カメラユニットを更に備え、
前記サーバ装置では、解析部が、前記カメラユニットにより撮影されたセミナー受講中のユーザの顔画像を解析し、解析結果を撮影時刻と共に、前記記憶部に記憶する
請求項６乃至請求項９のいずれか１項に記載のセミナー運営方法。
【請求項１１】
ユーザの端末装置と通信自在なサーバ装置であって、
前記ユーザの端末装置からの座席情報とユーザ識別情報、及び名刺の画像データを受け付ける受付部と、
前記名刺の画像データを解析し名刺情報を取得する解析部と、
前記座席情報と前記ユーザ識別情報、及び前記名刺情報を登録する登録部と、
前記座席情報、前記ユーザ識別情報、前記ユーザの属性情報、セミナー識別情報、及び前記名刺情報を少なくとも記憶する記憶部と、
を有し、
前記ユーザ識別情報に基づき、前記座席情報により特定される座席に着席しているユーザの属性情報を提示可能とした
サーバ装置。
【請求項１２】
前記記憶部に記憶されている、前記座席情報及び前記ユーザ識別情報に基づいて、座席表を生成する座席表生成部を更に有する
請求項１１に記載のサーバ装置。
【請求項１３】
セミナー講師の端末装置とも通信自在であり、
前記ユーザの端末装置からの質問情報を受信し、前記セミナー講師の端末装置に回答を要求し、前記セミナー講師の端末からの、前記質問情報に係る質問に対する回答情報を受信すると、前記記憶部に、前記セミナー識別情報及び前記ユーザ識別情報と関連付けて前記質問情報及び前記回答情報を記憶する質疑応答処理部を更に有する
請求項１１又は請求項１２に記載のサーバ装置。
【請求項１４】
前記ユーザの端末装置にアンケート情報を送信し、前記ユーザの端末装置からのアンケート回答情報を受信し、前記セミナー識別情報及び前記ユーザ識別情報と関連付けて、前記記憶部に記憶するアンケート処理部を更に有する
請求項１１乃至請求項１３のいずれか１項に記載のサーバ装置。
【請求項１５】
カメラユニットとも通信自在であり、
前記カメラユニットにより撮影されたセミナー受講中のユーザの顔画像を解析し、解析結果を撮影時刻と共に、前記記憶部に記憶する解析部を更に有する
請求項１１乃至請求項１４のいずれか１項に記載のサーバ装置。
【発明の詳細な説明】
【技術分野】
【０００１】
本発明は、セミナーの運営を効率化する技術に関する。
【背景技術】
【０００２】
従来、セミナーの運営を効率化するための種々の技術が提案されている。
【０００３】
例えば、特許文献１では、講義中に講師が提示した設問に対する回答を記憶し、講師端末に、属性の統計データや回答の集計データをリアルタイムで表示する点が開示されている。さらに、特許文献２では、前記利用者情報取得手段は、前記記憶部を有し、座席表を前記入力操作部に表示し、前記利用者に対し、前記利用者の座席の位置の押下を促し、この押下信号に基づき、前記記憶部に記憶された参加者リストを参照して前記利用者情報を取得することを特徴とする自動取引装置が開示されている。
【先行技術文献】
【特許文献】
【０００４】
【特許文献１】特許第６５０７３２８号公報
【特許文献２】特開２０１０−２７７５２３号公報
【発明の概要】
【発明が解決しようとする課題】
【０００５】
しかしながら、特許文献１、２に開示されたものは、セミナーの申し込み、受付け、座席表の生成、質疑応答、及びアンケートまでの過程で得られる情報を一元管理し、加工して受講生や主催者に提供する仕組みは開示されていない。
【０００６】
本発明は、このような課題に鑑みてなされたものであり、その目的とするところは、セミナーに関わる一連の流れの中で、運営をサポートし効率化を図ることにある。
【課題を解決するための手段】
【０００７】
上記課題を解決するために、本発明の第１の態様に係るセミナー運営システムは、ユーザの端末装置と、サーバ装置とからなるセミナー運営システムであって、前記端末装置は、座席に係る二次元コード、及び名刺を撮像する撮像部と、前記二次元コードを解析し座席情報を取得するコード解析部と、前記座席情報とユーザ識別情報、及び前記名刺の画像データを前記サーバ装置に送信する送信部と、を有し、前記サーバ装置は、前記座席情報と前記ユーザ識別情報、及び前記名刺の画像データを受け付ける受付部と、前記名刺の画像データを解析し名刺情報を取得する解析部と、前記座席情報と前記ユーザ識別情報、及び前記名刺情報を登録する登録部と、前記座席情報、前記ユーザ識別情報、前記ユーザの属性情報、セミナー識別情報、及び前記名刺情報を少なくとも記憶する記憶部と、を有し、前記ユーザ識別情報に基づき、前記座席情報により特定される座席に着席しているユーザの属性情報を提示可能とした。
【０００８】
本発明の第２の態様に係るセミナー運営システムは、上記第１の態様において、前記サーバ装置は、前記記憶部に記憶されている、前記座席情報及び前記ユーザ識別情報に基づいて、座席表を生成する座席表生成部を更に有する。
【０００９】
本発明の第３の態様に係るセミナー運営システムは、上記第１又は第２の態様において、セミナー講師の端末装置を更に備え、前記サーバ装置は、前記ユーザの端末装置からの質問情報を受信し、前記セミナー講師の端末装置に回答を要求し、前記セミナー講師の端末からの前記質問に対する回答情報を受信すると、前記記憶部に、前記セミナー識別情報及び前記ユーザ識別情報と関連付けて前記質問情報及び前記回答情報を記憶する質疑応答処理部を更に有する。
【００１０】
本発明の第４の態様に係るセミナー運営システムは、上記第１乃至第３の態様において、前記サーバ装置は、前記ユーザの端末装置にアンケート情報を送信し、前記ユーザの端末装置からのアンケート回答情報を受信し、前記セミナー識別情報及び前記ユーザ識別情報と関連付けて、前記記憶部に記憶するアンケート処理部を更に有する。
【００１１】
本発明の第５の態様に係るセミナー運営システムは、上記第１乃至第４の態様において、カメラユニットを更に備え、前記サーバ装置は、前記カメラユニットにより撮影されたセミナー受講中のユーザの顔画像を解析し、解析結果を撮影時刻と共に、前記記憶部に記憶する解析部を更に有する。
【００１２】
本発明の第６の態様に係るセミナー運営方法は、ユーザの端末装置と、サーバ装置とからなるセミナー運営システムによるセミナー運営方法であって、前記端末装置では、撮像部が座席に係る二次元コード、及び名刺を撮像し、コード解析部が前記二次元コードを解析し座席情報を取得し、送信部が前記座席情報とユーザ識別情報、及び前記名刺の画像データを前記サーバ装置に送信し、前記サーバ装置では、受付部が前記座席情報と前記ユーザ識別情報、及び前記名刺の画像データを受け付け、解析部が前記名刺の画像データを解析し名刺情報を取得し、登録部が前記座席情報と前記ユーザ識別情報、及び前記名刺情報を登録し、記憶部が前記座席情報、前記ユーザ識別情報、前記ユーザの属性情報、セミナー識別情報、及び前記名刺情報を少なくとも記憶し、前記ユーザ識別情報に基づき、前記座席情報により特定される座席に着席しているユーザの属性情報を提示可能とした。
【００１３】
本発明の第７の態様に係るセミナー運営方法は、上記第６の態様において、前記サーバ装置では、座席生成部が、前記記憶部に記憶されている、前記座席情報及び前記ユーザ識別情報に基づいて、座席表を生成する。
【００１４】
本発明の第８の態様に係るセミナー運営方法は、上記第６又は第７の態様において、前記セミナー運営システムは、セミナー講師の端末装置を更に備え、前記サーバ装置では、質疑応答処理部が、前記ユーザの端末装置からの質問情報を受信し、前記セミナー講師の端末装置に回答を要求し、前記セミナー講師の端末からの前記質問に対する回答情報を受信すると、前記記憶部に、前記セミナー識別情報及び前記ユーザ識別情報と関連付けて前記質問情報及び前記回答情報を記憶する。
【００１５】
本発明の第９の態様に係るセミナー運営方法は、上記第６乃至第８の態様において、前記サーバ装置では、アンケート処理部が、前記ユーザの端末装置にアンケート情報を送信し、前記ユーザの端末装置からのアンケート回答情報を受信し、前記セミナー識別情報及び前記ユーザ識別情報と関連付けて、前記記憶部に記憶する。
【００１６】
本発明の第１０の態様に係るセミナー運営方法は、上記第６乃至第９の態様において、前記セミナー運営システムは、カメラユニットを更に備え、前記サーバ装置では、解析部が、前記カメラユニットにより撮影されたセミナー受講中のユーザの顔画像を解析し、解析結果を撮影時刻と共に、前記記憶部に記憶する。
【００１７】
本発明の第１１の態様に係るサーバ装置は、ユーザの端末装置と通信自在なサーバ装置であって、前記ユーザの端末装置からの座席情報とユーザ識別情報、及び名刺の画像データを受け付ける受付部と、前記名刺の画像データを解析し名刺情報を取得する解析部と、前記座席情報と前記ユーザ識別情報、及び前記名刺情報を登録する登録部と、前記座席情報、前記ユーザ識別情報、前記ユーザの属性情報、セミナー識別情報、及び前記名刺情報を少なくとも記憶する記憶部と、を有し、前記ユーザ識別情報に基づき、前記座席情報により特定される座席に着席しているユーザの属性情報を提示可能とした。
【００１８】
本発明の第１２の態様に係るサーバ装置は、上記第１１の態様において、前記記憶部に記憶されている、前記座席情報及び前記ユーザ識別情報に基づいて、座席表を生成する座席表生成部を更に有する。
【００１９】
本発明の第１３の態様に係るサーバ装置は、上記第１１又は第１２の態様において、セミナー講師の端末装置とも通信自在であり、前記ユーザの端末装置からの質問情報を受信し、前記セミナー講師の端末装置に回答を要求し、前記セミナー講師の端末からの前記質問に対する回答情報を受信すると、前記記憶部に、前記セミナー識別情報及び前記ユーザ識別情報と関連付けて前記質問情報及び前記回答情報を記憶する質疑応答処理部を更に有する。
【００２０】
本発明の第１４の態様に係るサーバ装置は、上記第１１乃至第１３の態様において、前記ユーザの端末装置にアンケート情報を送信し、前記ユーザの端末装置からのアンケート回答情報を受信し、前記セミナー識別情報及び前記ユーザ識別情報と関連付けて、前記記憶部に記憶するアンケート処理部を更に有する。
【００２１】
本発明の第１５の態様に係るサーバ装置は、上記第１１乃至第１４の態様において、カメラユニットとも通信自在であり、前記カメラユニットにより撮影されたセミナー受講中のユーザの顔画像を解析し、解析結果を撮影時刻と共に、前記記憶部に記憶する解析部を更に有する。
【発明の効果】
【００２２】
本発明によれば、セミナーに関わる一連の流れの中で、運営をサポートし効率化を図る技術を提供することができる。
【図面の簡単な説明】
【００２３】
【図１】本発明の一実施形態に係るセミナー運営システムの構成図である。
【図２】同システムのサーバ装置の構成図である。
【図３】各種テーブルの構成を示す図である。
【図４】同システムの端末装置の構成図である。
【図５】セミナー申込に係る処理手順を示すフローチャートである。
【図６】セミナー受付けに係る処理手順を示すフローチャートである。
【図７】座席表生成に係る処理手順を示すフローチャートである。
【図８】座席表の表示例を示す図である。
【図９】質疑応答に係る処理手順を示すフローチャートである。
【図１０】解析結果に係る表示例を示す図である。
【発明を実施するための形態】
【００２４】
以下、図面を参照しつつ本発明の一実施形態について説明する。
【００２５】
図１には、本発明の一実施形態に係るセミナー運営システムの構成を示し説明する。
【００２６】
同図に示されるように、セミナー運営システムは、サーバ装置１と、ユーザの端末装置２と、セミナー講師の端末装置３と、管理者の端末装置４と、カメラユニット５とを有する。各装置１乃至５は、インターネット等の通信網６に無線又は有線で接続されているので、相互に通信自在である。ユーザの端末装置２、及びセミナー講師の端末装置３としては、スマートフォン、タブレット端末、デスクトップパーソナルコンピュータ、ノート型パーソナルコンピュータ等、各種のものを採用することができる。管理者の端末装置４としては、デスクトップパーソナルコンピュータ又はノート型パーソナルコンピュータ等を採用することができる。但し、これらには限定されない。
【００２７】
このような構成において、ユーザ（セミナー受講者を含む、以下、同じ）の端末装置２によりサーバ装置１の提供するセミナーに関わるＷｅｂサイトにアクセスして、受講を希望するセミナーに申込みを行う。尚、ユーザは、予めサーバ装置１にアクセスして、ユーザ登録を受けており、その際に、自己の属性情報等を登録している。
【００２８】
セミナー当日においては、ユーザの端末装置２で、座席に用意されているＱＲコード（登録商標）等の二次元コードを読み取り、二次元コードの解析により座席情報を取得し、当該座席情報とユーザＩＤとを、サーバ装置１に送信する。サーバ装置１では、この座席情報とユーザＩＤとを受信すると、それらを対応付けて登録する。そして、サーバ装置１は、座席登録に関わる完了通知をユーザの端末装置２に送信する。ユーザの端末装置２では、この完了通知を受信すると、表示する。これにより、ユーザは、自己の座席登録が完了した旨を確認することができる。
【００２９】
サーバ装置１は、全ての受講者の座席登録が完了すると、座席表を生成する。前述した座席登録の際に、ユーザＩＤと座席情報とが対応付けられて記憶されているので、サーバ装置１は、それら情報を読み出し、処理することで座席表を生成できる。また、ユーザ登録の際に、ユーザＩＤとユーザの属性情報とが対応付けられて記憶されているので、この座席表にユーザ（着席者）の属性情報を合わせて提示することもできる。
【００３０】
セミナー中、サーバ装置１は、ユーザの端末装置２からの質問情報を受信すると、セミナー講師の端末装置３に回答を要求し、セミナー講師の端末装置３からの質問に対する回答情報を受信すると、セミナーＩＤとユーザＩＤと関連付けて質問情報及び回答情報を記憶する質疑応答処理を実行する。
【００３１】
セミナー終了後、サーバ装置１は、ユーザの端末装置２にアンケート情報を送信し、ユーザの端末装置２からのアンケート回答情報を受信し、セミナーＩＤ及びユーザＩＤと関連付けて記憶するアンケート処理を実行する。
【００３２】
以上のほか、サーバ装置１は、各座席に設置されたカメラユニット５と通信自在となっており、カメラユニット５により撮影されたセミナー受講中のユーザの顔画像を受信すると、当該顔画像を解析し、解析結果を撮影時刻と共に記憶する解析処理を実行する。これにより、セミナー中のユーザの表情の変化（楽しそう、つまらなそう等）をユーザＩＤやセミナーＩＤと対応付けて記憶することができるので、事後的に、セミナーに対するユーザの反応を取りまとめて主催者やセミナー講師に情報提供することができる。
【００３３】
図２には、セミナー運営システムのサーバ装置の構成を示し説明する。
【００３４】
同図に示されるように、サーバ装置１は、制御部１１と、通信部１２と、記憶部１３とを有する。制御部１１と、通信部１２と、記憶部１３とは、バスラインを介して通信可能に接続されている。これら構成のほか、キーボードやマウス等の入力部や、各種表示を行う液晶ディスプレイ等の表示部を有してもよい。
【００３５】
通信部１２は、例えば、ネットワークインタフェースカード（NIC；Network Interface Card）等により実現されるもので、インターネット等の通信網６と有線又は無線で接続され、端末装置２，３，４等との間で通信を行う通信インタフェースである。
【００３６】
記憶部１３は、例えば、ＲＡＭ（Random Access Memory）やフラッシュメモリ（Flash Memory）等の半導体メモリ素子、ハードディスクドライブ（HDD；Hard Disc Drive）、または光ディスク装置等で実現されるもので、制御部１１で実行されるプログラムを予め記憶している。記憶部１３は、ユーザ情報記憶部１４、セミナー情報記憶部１５、座席情報記憶部１６、質疑応答情報記憶部１７、アンケート情報記憶部１８、及び画像記憶部１９を少なくとも有している。
【００３７】
ここで、図３（ａ）乃至図３（ｆ）には、各種テーブルの構成を示し説明する。
【００３８】
ユーザ情報記憶部１４は、例えば、図３（ａ）に示されるように、ユーザ識別情報（ＩＤ）と対応付けて、ユーザの氏名、会社名、所属、役職、電子メールアドレス等の属性情報と、セミナー受講履歴情報を記憶している。セミナー受講履歴は、参加したセミナーのセミナーＩＤで記憶している。このほか、予め登録されたユーザの顔画像データや、名刺情報を合わせて記憶するようにしてもよい。
【００３９】
セミナー情報記憶部１５は、例えば、図３（ｂ）に示されるように、セミナー識別情報（ＩＤ）と対応付けて、セミナー名、開催日時、会場、セミナーテーマ、参加者、質疑応答情報、及びアンケート情報を記憶している。参加者については、参加したユーザのユーザＩＤで記憶し、質疑応答情報については、質疑応答ＩＤで記憶し、アンケート情報については、アンケートＩＤで記憶している。
【００４０】
座席情報記憶部１６は、例えば、図３（ｃ）に示されるように、セミナー毎に、座席識別情報（ＩＤ）と当該座席に着席したユーザのユーザＩＤとを対応付けて記憶している。
【００４１】
質疑応答情報記憶部１７は、例えば、図３（ｄ）に示されるように、質疑応答識別情報（ＩＤ）と対応付けて、セミナーＩＤ、質問情報、回答情報、及び当該質疑応答の当事者であるユーザのユーザＩＤを記憶している。なお、質問情報や回答情報は、例えばテキストデータで記憶されている。
【００４２】
アンケート情報記憶部１８は、例えば、図３（ｅ）に示されるように、アンケート識別情報（ＩＤ）と対応付けて、アンケート内容、セミナーＩＤ、回答内容、及び回答者のユーザＩＤを記憶している。アンケート内容、及び回答内容は、例えばテキストデータで記憶されている。
【００４３】
画像記憶部１９は、例えば、図３（ｆ）に示されるように、画像識別情報（ＩＤ）と対応付けて、セミナーＩＤ、座席ＩＤ，画像データ、撮影時刻、及び当該画像の解析結果を記憶している。解析結果としては、例えば、ユーザの顔画像解析の結果である笑顔の有無等が記憶されている。
【００４４】
図２の説明に戻り、制御部１１は、ＣＰＵ（Central Processing Unit）やＭＰＵ（Micro Processing Unit）等で実現され、記憶部１３に記憶されているプログラムを実行することで、受付部１１ａ、登録部１１ｂ、座席表生成部１１ｃ、質疑応答処理部１１ｄ、アンケート処理部１１ｅ、解析部１１ｆ、生成部１１ｇ、送信部１１ｈとして機能する。制御部１１は、ＡＳＩＣ（Application Specific Integrated Circuit）やＦＰＧＡ（Field Programmable Array）等の集積回路で構成されてよい。
【００４５】
このような構成において、受付部１１ａは、ユーザの端末装置２からの座席情報とユーザ識別情報とを少なくとも受け付ける。登録部１１ｂは、一例を挙げると、座席情報とユーザ識別情報とを座席情報記憶部１６に登録する。座席表生成部１１ｃは、座席情報記憶部１６に記憶されている、座席情報及びユーザ識別情報に基づいて、セミナーの座席表を生成する。そのとき、ユーザ情報記憶部１４には、ユーザＩＤと対応付けてユーザの属性情報も記憶されているので、ユーザＩＤに基づいて、ユーザ情報記憶部１４を検索することで、ユーザの属性情報を読み出し、併せて座席表に提示することができる。
【００４６】
質疑応答処理部１１ｄは、ユーザの端末装置２からの質問情報を受信し、セミナー講師の端末装置３に回答を要求し、セミナー講師の端末装置３からの質問に対する回答情報を受信すると、質疑応答記憶部１７に、セミナーＩＤ及びユーザＩＤと関連付けて質問情報及び回答情報を記憶する。
【００４７】
アンケート処理部１１ｅは、ユーザの端末装置２にアンケート情報を送信し、ユーザの端末装置２からのアンケート回答情報を受信し、セミナーＩＤ及びユーザＩＤと関連付けて、アンケート情報記憶部１８に記憶する。
【００４８】
解析部１１ｆは、カメラユニット５により撮影されたセミナー受講中のユーザの顔画像を解析し、解析結果を撮影時刻と共に、画像記憶部１９に記憶する。また、ユーザの情報端末で名刺が撮像され、その画像データが送信された場合には、受付部１１ａが、その画像データを受付け、解析部１１ｆは、画像データを解析し、名刺情報を取得し、登録部１１ｂが名刺情報をユーザ情報記憶部１４にユーザＩＤと紐づけて登録してもよい。また、カメラユニット５が、教室全体を撮影する者である場合には、受付部１１ａが、教室全体の画像データを取得し、解析部１１ｆが、その画像の中の顔画像を認識し、ユーザ情報記憶部１４に予め登録されているユーザの顔画像と照合して、各位置（座席）に所在するユーザを特定し、座席表生成部１１ｃが、その特定した所在情報に基づいて、座席表を生成するようにしてもよい。生成部１１ｇは、画面データをＨＴＭＬ形式等で生成する。そして、送信部１１ｈは、生成した画面データ等を端末装置２，３，４等に送信する。
【００４９】
図４には、セミナー運営システムの端末装置の構成を示し説明する。尚、セミナー講師の端末装置、管理者の端末装置も同様の構成である。
【００５０】
同図に示されるように、端末装置２（端末装置３，４も同様）は、全体の制御を司る制御部２１と、通信部２２と、撮像部２３と、操作部２４と、表示部２５と、記憶部２６とを有する。各部２１〜２６は、バスラインを介して通信自在に接続されている。通信部２２は、例えば、ＮＩＣ等により実現されるもので、インターネット等の通信網６と有線又は無線で接続され、サーバ装置１等との間で通信を行う通信インタフェースである。
【００５１】
撮像部２３は、ＱＲコード（登録商標）等の二次元コードを撮像するものである。撮像部２３に代えて、ＮＦＣリーダライタを採用してもよい。
【００５２】
操作部２４は、マウスやキーボード等からなり、ユーザによる各種操作入力を受け付ける。表示部２５は、液晶ディスプレイ等からなり、各種表示を行う。尚、操作部２４と表示部２５とをタッチパネルとして一体に構成してもよい。記憶部２６は、例えば、ＲＡＭやフラッシュメモリ等の半導体メモリ素子、ＨＤＤ、又は光ディスク装置等で実現されるもので、制御部１１で実行されるプログラムを記憶している。
【００５３】
制御部２１は、例えば、ＣＰＵやＭＰＵ等からなり、記憶部２６に記憶されているプログラムを実行することで、送信部２１ａ、コード解析部２１ｂ、閲覧部２１、及び受信部２１ｄとして機能する。なお、制御部２１は、ＡＳＩＣやＦＰＧＡ等の集積回路で構成されてよい。
【００５４】
このような構成において、送信部２１ａは、座席情報とユーザ識別情報とを、通信部２２を介して、サーバ装置１に送信する。コード解析部２１ｂは、撮像部２３で撮像した２次元コードの情報を解析し、座席情報を取得する。閲覧部２１ｃは、サーバ装置１から送られてきた画面データを、表示部２５に表示し、閲覧可能とする。閲覧部２１ｃは、ブラウザプログラムを実行することでブラウザ機能を実現する。受信部２１ｄは、サーバ装置１から送られてきたＨＴＭＬ形式の画面データ等を受信する。
【００５５】
以下、図５のフローチャートを参照して、セミナー申込に係る処理手順を説明する。
【００５６】
ユーザの端末装置２では、閲覧部２１ｃが、サーバ装置１の提供するセミナーに関わるＷｅｂサイトを表示部２５に表示する（Ｓ１）。そして、ユーザの端末装置２より、セミナー申込のリクエストが、送信部２１ａより、通信部２２を介して、サーバ装置１に送信される（Ｓ２）。
【００５７】
サーバ装置１では、受付部１１ａが、セミナー申込のリクエストを受付け（Ｓ３）、登録部１１ｂが、セミナー情報記憶部１５に、申込者のユーザＩＤを参加者として登録する（Ｓ４）。そして、サーバ装置１では、送信部１１ｈが、申込完了通知をユーザの端末装置２に送信する（Ｓ５）。
【００５８】
ユーザの端末装置２では、受信部２１ｄが、この申込完了通知を受信し（Ｓ６）、閲覧部２１ｃが、表示部２５に、申込完了通知を表示し、閲覧可能とする（Ｓ７）。こうして、セミナー申込に関わる一連の処理を終了する。
【００５９】
次に、図６のフローチャートを参照して、セミナー受付けに係る処理手順を説明する。
【００６０】
ユーザの端末装置２では、撮像部２３が、座席に設置されているＱＲコード（登録商標）等の二次元コードを撮像し、コード解析部２１が、二次元コードを解析し、座席情報を取得する（Ｓ１１）。そして、送信部２１ａが、座席情報と、ユーザＩＤとを、通信部２２を介して、サーバ装置１に送信する（Ｓ１２）。
【００６１】
サーバ装置１では、受付部１１ａが、座席情報とユーザＩＤとを受付け（Ｓ１３）、登録部１１ｂが、座席情報とユーザＩＤとを対応付けて、座席情報記憶部１６に登録する（Ｓ１４）。そして、サーバ装置１では、送信部１１ｈが、着席完了通知をユーザの端末装置２に送信する（Ｓ１５）。
【００６２】
ユーザの端末装置２では、受信部２１ｄが、着席完了通知を受信し（Ｓ１６）、閲覧部２１ｃが、表示部２５に、着席完了通知を表示し、閲覧可能とする（Ｓ１７）。こうして、セミナー申込に関わる一連の処理を終了する。
【００６３】
次に、図７のフローチャートを参照して、座席表生成に係る処理手順を説明する。
【００６４】
サーバ装置１では、座席表生成部１１ｃが、座席情報記憶部１６より、座席表生成の対象となるセミナーについての座席ＩＤとユーザＩＤの組、即ち座席情報を読み出し（Ｓ２１）、座席ＩＤにより座席番号を特定し、ユーザＩＤによりユーザ名やユーザの属性情報を特定し、座席表を生成し（Ｓ２２）、生成した座席表の情報を出力する（Ｓ２３）。
【００６５】
この座席表の出力については、例えば、生成部１１ｇが座席表に関わる画面データをＨＴＭＬ形式等で生成し、送信部１１ｈが、通信部１２を介して、ユーザの端末装置２に送信する。こうして、座席表生成に関わる一連の処理を終了する。
【００６６】
ここで、図８には、座席表の表示例を示し説明する。
【００６７】
同図に示されるように、座席生成部１１ｃにより生成された座席表では、座席番号（Ａ−１，Ａ−２等）とユーザ名とがセットで表示されると共に、ユーザの属性情報の少なくとも一部（この例では、ユーザの嗜好情報）が、併せて表示される。
【００６８】
次に、図９のフローチャートを参照して、質疑応答に係る処理手順を説明する。
【００６９】
ユーザの端末装置２では、閲覧部２１ｃが、表示部２５に、質問入力フォームを表示し閲覧可能とし（Ｓ３１）、この質問入力フォームに操作部２４の操作により質問事項が入力されると、送信部２１ａは、ユーザＩＤと質問事項に係るテキストデータを、通信部２２を介して、送信する（Ｓ３２）。
【００７０】
サーバ装置１では、受付部１１ａが、このユーザＩＤと質問事項に係るテキストデータを受付け（Ｓ３３）、送信部１１ｈが、この質問事項に係るテキストデータをセミナー講師の端末装置３に送信することで、回答要求を行う（Ｓ３４）。
【００７１】
セミナー講師の端末装置３では、受信部２１ｄが、この回答要求を受信し（Ｓ３５）、操作部２４の操作により質問に対する回答が入力されると、送信部２１ａが、回答に係るテキストデータを講師のユーザＩＤと共に、サーバ装置１に送信する（Ｓ３６）。
【００７２】
サーバ装置１は、受付部１１ａが、回答に係るテキストデータを受付け（Ｓ３７）、質問事項に係るテキストデータと、回答に係るテキストデータとを、ユーザＩＤと共に質疑応答情報記憶部１７に登録する（Ｓ３８）。そして、生成部１１ｇが、回答に係るテキストデータに基づいて画面データをＨＴＭＬ形式等で生成し、送信部１１ｈが、ユーザの端末装置２へと送信する（Ｓ３９）。
【００７３】
ユーザの端末装置２では、受信部２１ｄが、この画面データを受信し（Ｓ４０）、閲覧部２１ｃにより、表示部２５に画面表示され、回答を確認可能とする（Ｓ４１）。こうして質疑応答に係る一連の処理を終了する。
【００７４】
最後に、図１０には、解析結果に係る表示例を示し説明する。
【００７５】
サーバ装置１の解析部１１ｆは、座席毎に設置されたカメラユニット５で得られた画像データを解析し、当該座席に着席しているユーザの表情を解析し、画像記憶部１９に撮影時刻と共に記憶している。この解析部１１ｆの更なる機能として、解析部１１ｆは、各記憶部１４乃至１９を参照して、予め設定された必要な情報を読み出し、それらを解析結果とすることもできる。この場合、生成部１１ｇは、解析結果に基づいて、画面データをＨＴＭＬ形式等で生成する。
【００７６】
その表示例が、図１０に示されている。この例では、セミナー申込情報、チェックイン情報に加えて、セミナー受講情報として所定時間間隔での画像解析結果、即ちユーザの状態を座席表の上にポップアップ表示で提示することができる。更に、質疑応答情報やアンケート情報も座席表の上にポップアップ表示で併せて提示することが可能である。
【００７７】
これらは、セミナー主催者やセミナー講師にとって非常に有益な情報となるため、フィードバックされた内容を改善内容として次開催のセミナーの企画に反映させることができる。また、情報が蓄積されると、それらがビッグデータとなり、機械学習により、セミナー受講生のニーズ等、俯瞰することも可能となるだろう。
【００７８】
以上、本発明の一実施形態について説明したが、本発明はこれに限定されることなくその趣旨を逸脱しない範囲で種々の改良・変更が可能であることは勿論である。
【００７９】
例えば、図１０に示されるポップアップ表示は一連にすぎず、各記憶部１４乃至１９に記憶された情報の任意の組み合わせにより、提示する情報を、自由に組み合わせを設定することが可能であることは勿論である。
【符号の説明】
【００８０】
１…サーバ装置、２…端末装置、３…端末装置、４…管理端末装置、５…カメラユニット、６…通信網、１１…制御部、１１ａ…受付部、１１ｂ…登録部、１１ｃ…座席表生成部、１１ｄ…質疑応答処理部、１１ｅ…アンケート処理部、１１ｆ…解析部、１１ｇ…生成部、１１ｈ…送信部、１２…通信部、１３…記憶部、１４…ユーザ情報記憶部、１５…セミナー情報記憶部、１６…座席情報記憶部、１７…質疑応答情報記憶部、１８…アンケート情報記憶部、１９…画像記憶部、２１…制御部、２１ａ…送信部、２１ｂ…コード解析部、２１ｃ…閲覧部、２１ｄ…受信部、２２…通信部、２３…撮像部、２４…操作部、２５…表示部、２６…記憶部。
【要約】
【課題】セミナーに関わる一連の流れの中で、運営をサポートし効率化を図る。
【解決手段】本発明は、ユーザの端末装置と通信自在なサーバ装置１であって、ユーザの端末装置からの座席情報とユーザ識別情報とを受け付ける受付部１１ａと、座席情報とユーザ識別情報とを登録する登録部１１ｂと、座席情報、ユーザ情報、ユーザの属性情報、及びセミナー識別情報を少なくとも記憶する記憶部１３とを有し、ユーザ識別情報に基づき、座席情報により特定される座席に着席しているユーザの属性情報を提示可能とした。
【選択図】図２【図１】
0006850507.tif 000002
【図２】
0006850507.tif 000003
【図３】
0006850507.tif 000004
【図４】
0006850507.tif 000005
【図５】
0006850507.tif 000006
【図６】
0006850507.tif 000007
【図７】
0006850507.tif 000008
【図８】
0006850507.tif 000009
【図９】
0006850507.tif 000010
【図１０】
0006850507.tif 000011